(57)【要約】【課題】  筒状体内の毛髪に張力が加わり、毛髪に綺麗なカールを付与することができる毛髪保持具及びそれを用いた毛髪処理方法を提供すること。【解決手段】  一端の開口部２１から他端の開口部２２に向けて毛髪束を挿通可能にシートにより構成された扁平形状の筒状体２からなり、該筒状体２の一方の面を形成するシート２３Ａが他方の面を形成するシート２３Ｂよりも該筒状体２の長手方向に伸長し易く、該他方の面を形成するシート２３Ｂのテーバーこわさが０．４ｍＮｍ以上である。【選択図】  図１
2005204963.tif 000002
【特許請求の範囲】
【請求項１】
一端の開口部から他端の開口部に向けて毛髪束を挿通可能にシートにより構成された扁平形状の筒状体からなり、該筒状体の一方の面を形成するシートが他方の面を形成するシートよりも該筒状体の長手方向に伸長し易く、該他方の面を形成するシートのテーバーこわさが０．４ｍＮｍ以上である毛髪保持具。
【請求項２】
前記一方の面を形成するシートの５Ｎ荷重下での伸長率が前記他方の面を形成するシートの５Ｎ荷重下での伸長率よりも１５倍以上大きい請求項１記載の毛髪保持具。
【請求項３】
前記一方の面を形成するシートは、５Ｎ荷重下での伸長率が５％以上である請求項１記載の毛髪保持具。
【請求項４】
前記一方の面を形成するシートには多数個の空隙部が形成されており、該シートは該空隙部が形成されていることにより伸長するように構成されている請求項１〜３の何れかに記載の毛髪保持具。
【請求項５】
前記シートが毛髪処理剤に対して透過性を有する請求項１〜４の何れかに記載の毛髪保持具。
【請求項６】
前記筒状体は、所定形状に巻き上げた状態が保持されるようにくせ付けをされている請求項１〜５の何れかに記載の毛髪保持具。
【請求項７】
請求項１〜５の何れかに記載の毛髪保持具を用い、該毛髪保持具の前記筒状体に毛髪束を挿通し、その状態で該筒状体を前記一方の面を形成するシートを外側にして巻き上げる毛髪処理方法。
【発明の詳細な説明】
【技術分野】
【０００１】
本発明は、パーマ等により毛髪にカールを付与する場合に、毛髪束を所定の形状に巻回するときの補助具として用いられる毛髪保持具及び該毛髪保持具を用いた毛髪処理方法に関する。
【背景技術】
【０００２】
下記特許文献１には、本出願人による「一端の開口部から他端の開口部に向けて毛髪束を挿通可能にシートにより構成された筒状体からなる毛髪保持具」が記載されている。この毛髪保持具によれば、毛髪束が筒状体の内部に挿入された状態で筒状体を巻き上げることにより、毛髪束を筒状体ごと巻き上げることができ、簡便な操作で毛髪にカールを付与することができる。
【０００３】
【特許文献１】特開２００３−３１９８１５号公報
【発明の開示】
【発明が解決しようとする課題】
【０００４】
しかし、毛髪に綺麗な形状のカールを付与するためには毛髪巻き上げ時に毛髪束に一定の張力を付与することが重要であるが、前記毛髪保持具によれば、巻き上げ時における変形によって筒状体の外側のシートが規制される。その結果、筒状体内の毛髪に圧縮力が加わるため、カールの仕上がりが弱く、最悪の場合、毛髪に折れが生じる。
【０００５】
従って、本発明の目的は、筒状体内の毛髪に張力が加わり、毛髪に綺麗なカールを付与することができる毛髪保持具及びそれを用いた毛髪処理方法を提供することにある。
【課題を解決するための手段】
【０００６】
本発明は、一端の開口部から他端の開口部に向けて毛髪束を挿通可能にシートにより構成された扁平形状の筒状体からなり、該筒状体の一方の面を形成するシートが他方の面を形成するシートよりも該筒状体の長手方向に伸長し易く、該他方の面を形成するシートのテーバーこわさが０．４ｍＮｍ以上である毛髪保持具を提供することにより、上記目的を達成したものである。
【０００７】
また、本発明は、上記毛髪保持具を用い、該毛髪保持具の前記筒状体に毛髪束を挿通し、その状態で該筒状体を前記一方の面を形成するシートを外側にして巻き上げる毛髪処理方法を提供するものである。
【発明の効果】
【０００８】
本発明の毛髪保持具及び毛髪処理方法によれば、筒状体内の毛髪に張力が加わり、毛髪に綺麗なカールを付与することができる。
【発明を実施するための最良の形態】
【０００９】
以下、本発明の毛髪保持具を、その好ましい一実施形態について、図１を参照して説明する。
本実施形態の毛髪保持具１は、図１に示すように、一端の開口部２１から他端の開口部２２に向けて毛髪束Ｈ（図２参照）を挿通可能にシートにより構成された扁平形状の筒状体２からなり、該筒状体２の一方の面を形成するシート２３Ａが他方の面を形成するシート２３Ｂよりも該筒状体２の長手方向に伸長し易く、該他方の面を形成するシート２３Ｂのテーバーこわさが０．４ｍＮｍ以上である。
【００１０】
本実施形態の毛髪保持具１について以下に詳述する。
筒状体２は、図１に示すように、２枚の矩形状のシート２３Ａ、２３Ｂを、その長手方向に沿う側端部２４、２４同士を接合させて形成されている。筒状体２の大きさは、長さ５０〜３５０ｍｍ、長径２０〜１００ｍｍ、短径０〜３０ｍｍであることが好ましく、毛髪の長さやくせ付けしたい場所、挿入する毛髪束の量に応じて適宜選択できる。
【００１１】
一方の面を形成するシート（以下「一面シート」ともいう）２３Ａは、伸長し易い材料を用いることにより、伸長し易くなっている。伸長し易いシート材料としては、不織布（ポリエチレン不織布、ポリエチレンテレフタレート不織布等）、織布等が挙げられる。
【００１２】
一面シート２３Ａは、５Ｎ荷重下での伸長率が５％以上、好ましくは１０％以上である。伸長率が５％より小さいと、毛髪保持具に毛髪を挿入して巻き上げる際に発生する応力を充分に緩和することができず、不均一な形状に巻き上がったり、最悪の場合巻き上げができなくなってしまう。
本発明における「５Ｎ荷重下での伸長率」は、ＪＩＳ  Ｋ７１２７に規定される「フィルム及びシートの引張特性の試験方法」により測定される伸長率（引張ひずみ）で、シートを５Ｎ荷重で筒状体の長手方向に引っ張った場合における引っ張り前の長さに対する引っ張り後の伸びの比（百分率）である。引張試験のおける引っ張り速度は２０ｍｍ／ｍｉｎ、スパン間距離は１００ｍｍである。
【００１３】
他方の面を形成するシート（以下「他面シート」ともいう）２３Ｂは、その長手方向に実質的に伸長性を有していない。具体的には、前記「５Ｎ荷重下での伸長率」が５％以下である。
また、他面シート２３Ｂのテーバーこわさは、０．４ｍＮ・ｍ以上であり、好ましくは１ｍＮ・ｍ以上である。前記「テーバーこわさ」は、ＪＩＳ  Ｐ８１２５に規定される「こわさ試験方法」により測定されるテーバーこわさである。
他面シートのテーバーこわさが上記範囲を外れると、毛髪保持具に毛髪を挿入して巻き上げる際、他面シートに座屈変形等が生じ、毛髪に充分な張力が作用せず、カールの仕上がりが悪くなったり、カールの強さが弱くなってしまう。
【００１４】
本実施形態の毛髪保持具においては、一面シート２３Ａの５Ｎ荷重下での伸長率が他面シートの５Ｎ荷重下での伸長率よりも１５倍以上大きくなっており、３０倍以上大きくなっていると更に好ましい。
伸長率が１５倍以下だと、変形時に発生する応力を一面シートで充分に解消できず、他面シートにも不均一な変形や、座屈変形が生じてしまい、その結果カールの仕上がりが悪くなったり、カールの強さが弱くなってしまう。
【００１５】
筒状体２を構成する一面シート２３Ａ，他面シート２３Ｂとしては、各種可撓性材料が用いられ、例えば、不織布（ポリエチレン不織布、ポリエチレンテレフタレート不織布等）、織布、多孔性又は非多孔性の樹脂フィルム（ポリエチレンフィルム、ポリエチレンテレフタレートフィルム等）、紙、高分子材料シート、ゴムシート、又はこれらの複合体等が挙げられる。
本実施形態においては、一面シート２３Ａとして、ＰＰ／ＰＰ芯鞘繊維を使用したエアスルー不織布を用い、他面シート２３Ｂとして、毛髪処理剤に対して透過性を有するポリエチレンテレフタレート（ＰＥＴ）不織布を用いている。毛髪処理剤としては、パーマ用のもの等がある。
一面シート２３Ａ、他面シート２３Ｂの厚みは、好ましくは３０μｍ〜５００μｍである。
【００１６】
次に、図１に示す実施形態の毛髪保持具を用いた本発明の毛髪処理方法の一実施態様について、図２を参照して説明する。
本実施態様の毛髪処理方法は、図１に示す毛髪保持具１を用い、該毛髪保持具１の前記筒状体２に毛髪束Ｈを挿通し、その状態で該筒状体２を前記一方の面を形成するシート２３Ａを外側にして巻き上げるものである。
【００１７】
本実施態様の毛髪処理方法を具体的に説明する。
先ず、毛髪束Ｈの量や得ようとするカール形状に応じて、適当な長さ及び幅を有する筒状体２からなる毛髪保持具１を用い、図２（ａ）に示すように、筒状体２の一端の開口部２１を楕円形状に開口して、該開口部２１から毛髪束Ｈを挿入する。そして、図２（ｂ）に示すように、毛髪束Ｈを、その先端が筒状体２の他端の開口部２２から少しはみ出るまで、筒状体２に挿通させる。
【００１８】
毛髪束Ｈを筒状体２に挿通させた後、図２（ｃ）及び（ｄ）に示すように、一面シート２３Ａを外側にして筒状体２を他端の開口部２２の側から、所望の巻回径で巻回し、クリップ（図示せず）等の周知の固定手段を用いて毛髪束Ｈの巻回状態を保持する。その後、筒状体２の外側からパーマ用の毛髪処理剤を毛髪束Ｈに付与する。毛髪処理剤は、一面シート２３Ａ、他面シート２３Ｂを介して、毛髪束Ｈに付与される。所定時間後、筒状体２から毛髪束Ｈを挿脱し、洗髪等して、パーマ処理を完了する。
筒状体２の開口部２１から毛髪束Ｈを挿入させる際に、必要に応じ、開口部２１を真円状に開口した方が、毛髪束Ｈをスムーズに挿入させ易い。また、必ずしも、毛髪束Ｈの先端を筒状体２の他端の開口部２２からはみ出させる必要はない。
【００１９】
前述の通り、本実施形態の毛髪保持具１の筒状体２に毛髪束Ｈを挿通し、その状態で一面シート２３Ａを外側にして筒状体２を巻回すると、周径の大きい一面シート２３Ａに伸長力が加わる。而して、本実施形態の毛髪保持具１においては、一面シート２３Ａが他面シート２３Ｂよりも筒状体２の長手方向に伸長し易くなっているため、一面シート２３Ａ全体が容易に伸長する。その結果、筒状体２に挿通されている毛髪束Ｈに一定の大きさの張力が付与される。そのため、本実施形態の毛髪保持具１によれば、毛髪に、容易且つ確実に綺麗なカールを付与することができる。
【００２０】
毛髪のくせ付け、特にパーマ処理によりくせ付けを行う場合には、イレギュラーな変形や縮れ、折れを防止するため、なおかつしっかりした掛かりを得るためには、毛髪に適度な張力が作用している状態で処理を行うことが好ましい。本実施形態では一面シート２３Ａを伸張しやすく、かつ他面シート２３Ｂに一定の剛性を持たせることにより、毛髪保持具の巻き上げと同時に必然的に毛髪に張力が作用するようになっている。その結果容易、かつ確実にきれいなカールを付与することが可能になっている。
【００２１】
次に、本発明の毛髪保持具の他の実施形態について説明する。これらの実施形態については、図１に示す実施形態と異なる点についてのみ説明し、特に説明しない点については、図１に示す実施形態に関する説明が適宜適用される。そして、他の実施形態の毛髪保持具においても、本実施形態の毛髪保持具と同様に、毛髪に、容易且つ確実に綺麗なカールを付与することができる。
【００２２】
図３に示す実施形態の毛髪保持具１においては、筒状体２の一面シート２３Ａに、その短手方向の幅の略１／４の幅を有する空隙部２５Ａが多数個形成されている。空隙部２５Ａは、図３に示すように、筒状体２を起立させた状態において、２個の空隙部２５Ａが同じ高さで短手方向に離間して並置しており、その下方に２個の空隙部２５Ａが、その上部に形成された２個の空隙部２５Ａとは一面シート２３Ａの短手方向の幅の略１／４ずれた位置に短手方向に離間して並置している。
このように多数個の空隙部２５Ａが形成されているため、図３に示す実施形態の毛髪保持具１は、一面シート２３Ａが伸長し易い構造を有しており、図１に示す実施形態の毛髪保持具と同様の効果が得られる。
【００２３】
図４に示す実施形態の毛髪保持具１においては、筒状体２の一面シート２３Ａに、４５°の角度で斜行した空隙部２５Ｂが多数個形成されている。空隙部２５Ｂは、図４に示すように、筒状体２を起立させた状態において、３個の空隙部２５Ｂが同じ高さ及び同じ傾きで短手方向に離間して並置しており、その下方に３個の空隙部２５Ｂが、その上部に形成された３個の空隙部２５Ｂとはシート２３Ａの短手方向の幅の略１／６ずれた位置に傾きを１８０°異ならせて且つ短手方向に離間して並置している。
このように多数個の空隙部２５Ｂが形成されているため、図４に示す実施形態の毛髪保持具１は、一面シート２３Ａが伸長し易い構造を有しており、図１に示す実施形態の毛髪保持具と同様の効果が得られる。
【００２４】
図５に示す実施形態の毛髪保持具１は、筒状体２が所定形状に巻き上げた状態が保持されるようにくせ付けをされている。詳細には、筒状体２は、一面シート２３Ａを外側にしてロール状に巻き上げた状態が保持されるように、所定の手段によってくせ付けをされている。
そのため、筒状体２は、その長手方向に引き伸ばした状態〔図５（ａ）参照〕にして、その状態から解放すると、図５（ｂ）及び（ｃ）に示すように、ロール状に巻き上げられた状態へと自発的に巻き上げられるようになっている。
【００２５】
筒状体２にくせ付けをするためには、その構成シートとして所定の形状に形成された弾性変形可能な材料を用いることが簡便である。該弾性変形可能な材料としては、ポリエチレンテレフタレート、ポリプロピレン、ポリスチレン、ポリアクリロニトリルなどが挙げられる。これらの弾性変形可能な材料を用いて筒状体にロール状のくせ付けをするには、筒状体をロール状に巻き上げ、所定の手段によってその巻き上げ形態を保持し、その状態下に筒状体を所定温度に加熱すればよい。
図５に示す実施形態の毛髪保持具１によれば、筒状体２内に毛髪を挿入した後、引き伸ばした状態にある筒状体２の引き伸ばし状態を解除すれば、筒状体２は一面シート２３Ａを外側にして自発的に巻き上げられる。従って、この毛髪保持具１は巻き上げ操作が全く不要である。その上、クリップ等の巻き上げ形態を保持するための手段が不要であるという利点もある。
【００２６】
図３及び図４に示す実施形態においては、一面シート２３Ａに空隙部を形成することにより、一面シート２３Ａを構造的に伸長し易くしているが、本発明の毛髪保持具においては、その他の構造を採用して、一面シートを伸長し易くすることができる。このような伸長し易い構造としては、図６に示すような短冊状のシートを重ね合わせて一面シートを形成する構造等が挙げられる。
【００２７】
図６に示す毛髪保持具においては、その一面シート２３Ａが複数個（本実施形態では６個）の短冊状のシート（短冊シート）２３ａから構成されている。複数個の短冊シート２３ａは筒状体２の長手方向に沿って、それらの端部のみを重ね合わせた形態で配設されている。複数個の短冊シート２３ａが、このような配設形態で筒状体２の長手方向に沿う側端部２４、２４がシールされて、他面シート２３Ｂと接合されることにより、筒状体２が形成される。短冊シート２３ａは、側端部２４を除き、他の短冊シート２３ａ及び他面シート２３Ｂとは接合されていない。
本実施形態の毛髪保持具は、一面シート２３Ａが前述した形態で複数個の短冊シート２３ａから形成されているため、一面シート２３Ａを外側にして巻回すると、短冊シート２３ａの重ね合わせ部分がずれ、一面シート２３Ａ全体が伸びることになる。
【００２８】
本発明の毛髪保持具は、前述した実施形態に制限されることなく、本発明の趣旨を逸脱しない限り、例えば以下に示すように適宜変更が可能である。
筒状体は、その一端が開口し且つその他端に閉口可能な手段を設けてあるものでもよい。筒状体は、その形成方法について特に制限はなく、シートを縫合、融着又は接着して形成したものでも、押出成形等により当初から筒状に形成したものでもよい。
【００２９】
本発明の前記実施形態のそれぞれ異なる部分を、適宜変更したり組み合わせた形態とすることもできる。
尚、本発明の毛髪保持具における「筒状体」を構成するシートの形状及びその表面状態は、上述の形態の筒状体を形成可能なものであれば良く、「扁平形状」という場合、シート材の表面は、凹凸面であってもよい。
筒状体に空隙部を形成する方法について特に制限はなく、例えば、シートの形成後に切断、打ち抜き等で形成することができる。
空隙部の形状は、前述した実施形態のような線形状に限定されず、例えば、矩形状、楕円状、実質上スリットからなるスリット形状でもよい。
【００３０】
また、本発明の毛髪保持具の使用方法は、図２に示す使用態様（本発明の毛髪処理方法の一実施態様）に限定されない。
毛髪束の巻回の際には、従来と同様に、ロッドを併用してもよい。
また、本発明の毛髪保持具は、パーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができる。また、毛髪の先端にカールを付与する場合以外にも、毛髪に波状にカールを付与する場合、毛髪に螺旋状にカールを付与する場合等にも適用が可能である。
毛髪に市販の整髪料を付与した後に、前述の方法によってくせ付けしても良い。
【実施例】
【００３１】
カールの仕上がりの評価試験の結果を以下に示す。
〔実施例１〕
毛髪保持具の筒状体の一面シートとして、下記〔表１〕に示すグラフにおいて細い破線で示す伸長特性を有するＰＰ／ＰＰ芯鞘繊維を使用したエアスルー不織布（坪量４０ｇ／ｍ2、ＬＴ４００）を用いる。他面シートとして、ポリエステル不織布（坪量１５０ｇ／ｍ2、旭化成株式会社製：スマッシュＹ１５１５０）を用いる。両シートを両側縁部で接合して、長さ２５０ｍｍ、長径７０ｍｍ、短径０．５ｍｍの筒状体からなる毛髪保持具を得る。
【００３２】
この毛髪保持具を用いて、毛髪にカールを付与し、カールの仕上がりを評価した。市販のパーマ剤（ハードタイプ：チオグリコール酸系）を使用し、約１０ｇの毛束を浴比１：１で処理してカールの仕上がりを目視で判断した。
カールの仕上がりの評価基準を以下に示す。
○：  均一できれいなカールを形成
△：  ほぼ均一なカールを形成。または掛かりが弱い
×：  不均一で美しくないカールを形成
【００３３】
〔実施例２〕
毛髪保持具の筒状体の一面シートとして、下記〔表１〕に示すグラフにおいて太い破線で示す伸長特性を有するＰＥＴ不織布（坪量１００ｇ／ｍ2、厚さ１ｍｍ、バイリーン社製）を用いる。他面シートとして、前記実施例１における他面シートと同じシートを用い、両シートから前記実施例１と同じ大きさの毛髪保持具を得て、前記実施例１と同様にカールの仕上がりを評価した。
【００３４】
〔比較例１〕
毛髪保持具の筒状体の一面シートとして、下記〔表１〕に示すグラフにおいて実線で示す伸長特性を有する、前記実施例１における他面シートと同じシートを用いる。他面シートとして、一面シートと同じシートを用い、両シートから前記実施例１と同じ大きさの毛髪保持具を得て、前記実施例１と同様にカールの仕上がりを評価した。
【００３５】
〔比較例２〕
毛髪保持具の筒状体の一面シートとして、下記〔表１〕に示すグラフにおいて一点鎖線で示す伸長特性を有するＬＤＰＥ（低密度ポリエチレン）フィルム（厚さ３０μｍ）を用いる。他面シートとして、ポリエステル不織布（坪量５０ｇ／ｍ2、旭化成株式会社製：スマッシュＹ１５０５０）を用い、両シートから前記実施例１と同じ大きさの毛髪保持具を得て、前記実施例１と同様にカールの仕上がりを評価した。
【００３６】
【表１】
2005204963.tif 000003
【００３７】
【表２】
2005204963.tif 000004
【００３８】
〔表２〕に示す評価結果から明らかなように、毛髪保持具の筒状体における一面シートの伸長率が他面シートの伸長率よりも大きく、且つ他面シートのテーバーこわさが所定の大きさ以上の場合には、綺麗なカール形状が得られる。
【図面の簡単な説明】
【００３９】
【図１】図１は、本発明の毛髪保持具の一実施形態を示す図で、（ａ）は正面斜視図、（ｂ）は背面斜視図である。
【図２】図２は、図１に示す毛髪保持具の一使用態様を示す図で、（ａ）、（ｂ）、（ｃ）及び（ｄ）は、それぞれ毛髪束の巻回手順を順次示す斜視図である。
【図３】図３は、本発明の毛髪保持具の別の実施形態を示す正面斜視図である。
【図４】図４は、本発明の毛髪保持具の更に別の実施形態を示す正面斜視図である。
【図５】図５は、本発明の毛髪保持具の更に別の実施形態を示す正面斜視図で、（ａ）は引き伸ばした状態を示す図、（ｂ）及び（ｃ）は巻き上がった状態を示す図である。
【図６】図６は、本発明の毛髪保持具の更に別の実施形態を示す模式図で、（ａ）は正面図、（ｂ）は（ａ）に示す正面図における縦中央断面図である。
【符号の説明】
【００４０】
１  毛髪保持具
２  筒状体
２１、２２  開口部
２３Ａ，２３Ｂ  シート
２４  側縁部
Ｈ  毛髪束
【図１】
2005204963.tif 000005
【図２】
2005204963.tif 000006
【図３】
2005204963.tif 000007
【図４】
2005204963.tif 000008
【図５】
2005204963.tif 000009
【図６】
2005204963.tif 000010